(57)【要約】      （修正有）【課題】緊急時に、子供が恐怖で声を出すことができない場合にも、近くに居る人に助けを求めることができる子供用名札を提供する。【解決手段】通園・通学用の名札本体１及びブザー音発生器５を収納する外袋９を備える。通常状態ではスライド部材４によって通電が遮断されており、スライド部材４を引出した状態では通電されてブザー音を発生するブザー音発生器５を備える。スライド部材４の下端４ａに、スライド部材４を引出すための引張部材３が連設されている。【選択図】図１
2005266046.tif 000002
【特許請求の範囲】
【請求項１】
通園・通学用の名札本体（１）及びブザー音発生器（５）を収納する外袋（９）を備えたことを特徴とする子供用名札。
【請求項２】
通常状態ではスライド部材（４）によって通電が遮断されており、該スライド部材（４）を引出した状態では通電されてブザー音を発生するブザー音発生器（５）を備え、上記スライド部材（４）の下端（４ａ）に、該スライド部材（４）を引出すための引張部材（３）を連設したことを特徴とする子供用名札。
【請求項３】
外袋（９）が、上方からブザー音発生器（５）を収納する第１収納部（10）と、該第１収納部（10）の前面（11）側に形成されて上方から上記名札本体（１）を収納する第２収納部（12）と、を有する請求項１又は２記載の子供用名札。
【請求項４】
外袋（９）が、ブザー音発生器（５）に対応する前面（16）位置に於て、ブザー音を遮音しないための貫孔（13）を有する請求項２又は３記載の子供用名札。
【請求項５】
スライド部材（４）に、該スライド部材（４）がブザー音発生器（５）から抜けるのを防止するための抜け止め用突起（７）を形成した請求項２，３又は４記載の子供用名札。
【請求項６】
ブザー音発生器（５）をブザーケース（15）に収納し、該ブザーケース（15）を外袋（９）に収納した子供用名札であって、引張部材（３）が、全体が上下逆さま状態になったときに上記ブザーケース（15）が上記外袋（９）から離脱するのを防止するリング（Ｒ）を取付可能な環状部（８）を有する請求項２記載の子供用名札。
【発明の詳細な説明】
【技術分野】
【０００１】
本発明は、子供用名札に関する。
【背景技術】
【０００２】
従来、幼稚園児や小学生は、洋服の胸のあたりに、名札（例えば、特許文献１参照）を付けている。
【０００３】
ところで、近年、子供が、幼稚園や学校の登下校時に不審者に危害を与えられる等の思わぬ事故が発生している。このような場合には、近くに居る人に助けを求める必要がある。しかし、子供は恐怖で声を出すことができない虞れがある。
【特許文献１】特開２０００−３５０６０７号公報
【発明の開示】
【発明が解決しようとする課題】
【０００４】
解決しようとする課題は、緊急時に、近くに居る人に助けを求めることが困難な点である。
【課題を解決するための手段】
【０００５】
そこで、本発明に係る子供用名札は、通園・通学用の名札本体及びブザー音発生器を収納する外袋を備えたものである。
また、通常状態ではスライド部材によって通電が遮断されており、該スライド部材を引出した状態では通電されてブザー音を発生するブザー音発生器を備え、上記スライド部材の下端に、該スライド部材を引出すための引張部材を連設したものである。
また、外袋が、上方からブザー音発生器を収納する第１収納部と、該第１収納部の前面側に形成されて上方から上記名札本体を収納する第２収納部と、を有するものである。
また、外袋が、ブザー音発生器に対応する前面位置に於て、ブザー音を遮音しないための貫孔を有するものである。
また、スライド部材に、該スライド部材がブザー音発生器から抜けるのを防止するための抜け止め用突起を形成したものである。
また、ブザー音発生器をブザーケースに収納し、該ブザーケースを外袋に収納した子供用名札であって、引張部材が、全体が上下逆さま状態になったときに上記ブザーケースが上記外袋から離脱するのを防止するリングを取付可能な環状部を有するものである。
【発明の効果】
【０００６】
本発明の子供用名札によれば、緊急時に、子供が恐怖で声を出すことができない場合にも、近くに居る人に助けを求めることができる。
【発明を実施するための最良の形態】
【０００７】
図１〜図５は、本発明の実施の一形態を示す。この子供用名札は、子供の名前Ｎや学校名Ｓ等を記載した紙製又は樹脂製等の名札本体１を備え、安全ピン２にて子供の制服や私服（図示省略）に取付けて使用する。子供用名札は、ブザー音発生機能を有し、図１・図４の矢印Ａ方向に、引張部材３（後述）を引張ると、ブザー音（アラーム音）が発生する。なお、ブザー音を停止するには、図１・図５の矢印Ｂ方向に、引張部材３を差込む。
【０００８】
本発明の子供用名札は、通常状態（図１・図４）では抜き差し自在なスライド部材４によって通電が遮断されており（ＯＦＦ状態）、スライド部材４を引出した状態（図５）では通電されてブザー音を発生する（ＯＮ状態となる）ブザー音発生器５を備える。言い換えると、子供用名札は、ブザー音発生器５を有するブザー音発生回路６を具備し、通常状態では、スライド部材４によって、ブザー音発生回路６が（スイッチ部20にて）開いており、スライド部材４を引出した状態───すなわち、スライド部材４が、図１に２点鎖線で示すような位置にある状態───では、ブザー音発生回路６（のスイッチ部20）が閉じるように構成されている。ブザー音発生器５及びブザー音発生回路６は、ブザーケース15に収納されている。スライド部材４の下端４ａに、スライド部材４を引出すための引張部材３が連設されている。スライド部材４に、スライド部材４がブザー音発生回路６から抜けるのを防止するための略半球状抜け止め用突起７が形成されている。
【０００９】
引張部材３は、開閉自在な環状部８を有する。図１・図２に示すように、環状部８にリングＲを取付けると、リングＲを引張ることにより、容易にスライド部材４を引出すことができる。また、環状部８にリングＲを取付けると、全体が上下逆さまになったときにブザーケース15が外袋９（後述）から離脱するのを防止することができる。環状部８に、キーホルダー（図示省略）を取付けて使用するも良い。
【００１０】
子供用名札は、通園・通学用の名札本体１及びブザー音発生器５を収納する樹脂製外袋９を備える。外袋９は、上方からブザー音発生器５をブザーケース15とともに収納する第１収納部10と、第１収納部10の前面11側に形成されて上方から名札本体１を収納する第２収納部12と、を有する。すなわち、第１収納部10及び第２収納部12は、上方開口状に形成されている。外袋９のうち少なくとも第２収納部12の前面14側は、透明であって、収納した名札本体１の名前Ｎや学校名Ｓを外部から読むことができる。外袋９は、ブザー音発生器５に対応する前面位置に於て、ブザー音を遮音しないための貫孔13を有する。
【００１１】
なお、本発明は、設計変更可能であって、例えば、スライド部材４は、ブザー音発生回路６から完全に引き抜かれて、全体がふたつに分離するも良い。また、引張部材３がリング形状を有するも良い。また、抜け止め用突起７に代えて、円環状の抜け止め用突条をスライド部材４に形成するも良い。
【００１２】
以上のように、本発明は、通園・通学用の名札本体１及びブザー音発生器５を収納する外袋９を備えたので、緊急時に、子供が恐怖で声を出すことができない場合にも、近くに居る人に助けを求めることができる。しかも、一般に子供用名札は、その学校の生徒全員が同一の種類のものを使用するので、この子供用名札を採用する学校の子供達は、全員が、いざというときにブザー音にて、近くに居る人に助けを求めることができる。
また、通常状態ではスライド部材４によって通電が遮断されており、スライド部材４を引出した状態では通電されてブザー音を発生するブザー音発生器５を備え、スライド部材４の下端４ａに、スライド部材４を引出すための引張部材３を連設したので、緊急時にスライド部材４を引出すという簡単な動作にて、ブザー音を鳴らすことができる。
【００１３】
また、外袋９が、上方からブザー音発生器５を収納する第１収納部10と、第１収納部10の前面11側に形成されて上方から名札本体１を収納する第２収納部12と、を有するので、ブザー音発生器５や名札本体１を容易に抜き差し・交換することができる。
また、外袋９が、ブザー音発生器５に対応する前面16位置に於て、ブザー音を遮音しないための貫孔13を有するので、ブザー音が外袋９の内部にこもらず、外部へ伝達されやすい。すなわち、ブザー音がより広範囲に届く。
また、スライド部材４に、スライド部材４がブザー音発生器５から抜けるのを防止するための抜け止め用突起７を形成したので、スライド部材４を紛失するのを防止することができる。
また、ブザー音発生器５をブザーケース15に収納し、ブザーケース15を外袋９に収納した子供用名札であって、引張部材３が、全体が上下逆さま状態になったときにブザーケース15が外袋９から離脱するのを防止するリングＲを取付可能な環状部８を有するので、環状部８にリングやキーホルダー等を取付けて、子供が誘拐にあって、無理な姿勢を強いられ、全体が上下逆さま状態になった場合にも、ブザーケース15が外袋９から離脱するのを防止することができる。
【図面の簡単な説明】
【００１４】
【図１】本発明の実施の一形態の使用状態を示す正面図である。
【図２】分解状態説明図である。
【図３】説明用側面図である。
【図４】一部破断で示す正面説明図である。
【図５】一部破断で示す正面説明図である。
【符号の説明】
【００１５】
１  名札本体
３  引張部材
４  スライド部材
４ａ  下端
５  ブザー音発生器
７  抜け止め用突起
８  環状部
９  外袋
10  第１収納部
11  前面
12  第２収納部
13  貫孔
15  ブザーケース
16  前面
Ｒ  リング
【図１】
2005266046.tif 000003
【図２】
2005266046.tif 000004
【図３】
2005266046.tif 000005
【図４】
2005266046.tif 000006
【図５】
2005266046.tif 000007